(57)【特許請求の範囲】
【請求項１】
前部に運転席が、後部に塵芥収容箱が配置され、この塵芥収容箱の後部に塵芥積込装置を備えた塵芥投入箱が設けられてなる塵芥収集車において、前記運転席と塵芥収容箱との間にエンジンが搭載され、前記運転席と塵芥収容箱との頂部が略同じ高さになされるとともに、前記運転席の後部が車輌の前輪中心よりも前方に配置され、また、塵芥収容箱内には、当該塵芥収容箱内に収容された塵芥を排出するための排出板が伸縮シリンダの伸縮作動により前後方向に摺動自在に配置され、前記伸縮シリンダの一端が、エンジンの上方となるとともに、上部が下部に対して前方になるように屈折して形成されて塵芥収容箱の前部に配設された取付部材の上部に連結される一方、その他端が排出板の下部に連結されることを特徴とする塵芥収集車。
【請求項２】
前記エンジンの左右両側は側壁カバーによって被覆され、当該側壁カバーが塵芥収容箱の側壁の延長上に且つこの側壁前端に開閉自在に設けられた請求項１記載の塵芥収集車。
【請求項３】
前記エンジンの上方にはこのエンジンの上部を被覆するとともに、架装物が載置可能なエンジンカバーが着脱自在に配設された請求項１記載の塵芥収集車。
【発明の詳細な説明】
【０００１】
【発明の属する技術分野】
本発明は、塵芥収集車に関するものである。
【０００２】
【従来の技術】
従来、塵芥収集車としては、車輌の車体枠の前部に運転席が配置されるとともに、後部に塵芥収容箱が搭載され、この塵芥収容箱の後部に塵芥積込装置を備えた塵芥投入箱が設けられてなるものが多数提供されており、塵芥投入箱に投入した塵芥を塵芥積込装置により塵芥収容箱に積み込んで収容している。
【０００３】
【発明が解決しようとする課題】
ここで、上述した塵芥収集車で収集する塵芥の収集量が、近年ますます増加しており、これに対応すべく一度に大量の塵芥を収容可能な塵芥収集車が要望されている。
【０００４】
このように塵芥収集車に大量の塵芥を収容できるようにするには、例えば塵芥収容箱を大きくすればよいが、塵芥収容箱の高さを高くすると、車輌の全高が高くなるために走行安定性の低下を招くいう問題が新たに発生する。そこで、従来から車輌の全高を高くすることなく低く維持した状態で、しかも塵芥の収容量を大きく確保できる塵芥収集車が強く要望されていた。
【０００５】
【課題を解決するための手段】
請求項１記載の塵芥収集車は、前部に運転席が、後部に塵芥収容箱が配置され、この塵芥収容箱の後部に塵芥積込装置を備えた塵芥投入箱が設けられてなる塵芥収集車において、前記運転席と塵芥収容箱との間にエンジンが搭載され、前記運転席と塵芥収容箱との頂部が略同じ高さになされるとともに、前記運転席の後部が車輌の前輪中心よりも前方に配置され、また、塵芥収容箱内には、当該塵芥収容箱内に収容された塵芥を排出するための排出板が伸縮シリンダの伸縮作動により前後方向に摺動自在に配置され、前記伸縮シリンダの一端が、エンジンの上方となるとともに、上部が下部に対して前方になるように屈折して形成されて塵芥収容箱の前部に配設された取付部材の上部に連結される一方、その他端が排出板の下部に連結されることを特徴とするものである。
【０００６】
請求項２記載の塵芥収集車は、前記エンジンの左右両側は側壁カバーによって被覆され、当該側壁カバーが塵芥収容箱の側壁の延長上に且つこの側壁前端に開閉自在に設けられたものである。
【０００７】
請求項３記載の塵芥収集車は、前記エンジンの上方にはこのエンジンの上部を被覆するとともに、架装物が載置可能なエンジンカバーが着脱自在に配設されたものである。
【０００９】
【発明の実施の形態】
以下、本発明の実施の形態を図面を参照して説明する。
【００１０】
図１は、本発明に係る塵芥収集車の全体構成を示している。
図において、１は、車輌の車体枠であって、この車体枠１の前部には運転席２が配置されるとともに、その後部に塵芥収容箱３が搭載されている。
【００１１】
塵芥収容箱３の後面は開放された開口部になされており、この開口部には塵芥投入箱５が枢軸４を以て傾動可能に連設されている。塵芥投入箱５内には図示しない従来周知の塵芥積込装置が装備されており、当該塵芥積込装置により塵芥投入箱５の後部に形成された投入部から投入した塵芥を塵芥収容箱３に積み込むようになされている。
【００１２】
前記運転席２は、その後部２ａが車輌の前輪１ａの回転中心よりも前方になるように前記車体枠１の前部に配置されている。このように運転席２を前輪１ａの回転中心よりも前方に配置することにより、従来のように運転席２を車輪の上方に配置した一般的な塵芥収集車に比べて、運転席２の全体を車輪１ａと干渉させることなく低い位置に配置でき、従って、地上に対する運転席２の頂部の高さを低くすることができるとともに、この運転席２の後方に配置される塵芥収集箱３の長さも長く確保できる。
【００１３】
そして、地上に対する前記塵芥収容箱３及び塵芥投入箱５の頂部の高さも前記運転席２の頂部の高さと略同じ高さになされており、この結果、車輌全体の高さを低く抑えることができる。
【００１４】
また、前記運転席２と塵芥収容箱３との間には、エンジン６が配置されている。車輌の幅方向となるエンジン６の左右両側は側壁カバー７によって被覆されるとともに、このエンジン６の上部は図２に示すエンジンカバー８によって被覆されている。
【００１５】
前記側壁カバー７は、前記塵芥収容箱３の前端側縁に側方へ開放自在に設けられており、図１に示すように側壁カバー７を閉塞した状態では、塵芥収容箱３の側壁３ａの延長上に配置されて外観上あたかも塵芥収容箱３の側壁３ａと一体であるかのようになされ、エンジン６等が配置された内部を被覆し、エンジン６のメンテナンスなどの際に側方に開放される。
【００１６】
前記エンジンカバー８は、前記側壁カバー７で被覆された内部において、上述したようにエンジン６の上方を被覆するもので、塵芥収容箱３の前端部と運転席２との間に着脱自在に架設されている。具体的には、塵芥収容箱３の前端部と運転席２にはアングル等の支持部材８ａがそれぞれ固設され、これら支持部材８ａによりエンジンカバー８が支持されるとともに、図示しないボルト等によってこのエンジンカバー８が支持部材８ａ上に固縛されており、上記ボルト等の取り外しによってエンジンカバー８が着脱自在に構成されている。
【００１７】
ここで、前述したように運転席２を車輪１ａよりも前方に配置したことで、前記エンジン６の上方は空間になっており、この空間に上述したようにエンジンカバー８を架設したことで、このエンジンカバー８上に架装物を乗せることができ、エンジン６の上部空間を有効に利用することができる。
【００１８】
また、前記塵芥収集箱３内には、排出板１０がこの塵芥収容箱３内を前後方向に摺動自在に配置されている。排出板１０は、塵芥収容箱３内に収容された塵芥を当該塵芥収容箱３内から後面の開口部を通じて外部に排出するためのもので、塵芥収容箱３の前部に配置された伸縮シリンダ１１（図２参照）により前後に移動させることができる。
【００１９】
この伸縮シリンダ１１は、例えばテレスコシリンダが用いられており、図２に示すように、その一端が塵芥収容箱３の前端に配設された取付部材１２の取付部１２ａにピン連結されるとともに、他端が排出板１０の下端部にピン連結され、排出板１０が前方に配置された状態では、後方下がりに傾斜した状態で配置されている。
【００２０】
前記取付部材１２は、その上部に上記取付部１２ａが形成され、この上部が下部に対して前方になるように屈折して形成されており、前記エンジン６を回避し、しかも伸縮シリンダ１１の一端との取付位置が極力前方になるようにしている。これにより取付部材１２の取付部１２ａをエンジン６の上方となる前方位置に極力配置でき、この分だけ伸縮シリンダ１１を車輌の前方に配置することができる。この結果、排出板１０も極力前方に配置でき、これに伴って塵芥収容箱３内の塵芥収容容積を大きく確保できる。しかも、取付部材１２がエンジン６に干渉することもなく、メンテナンス等の邪魔になることもない。
【００２１】
【発明の効果】
以上述べたように、請求項１記載の塵芥収集車によれば、運転席と塵芥収容箱との頂部を略同じ高さにするとともに、運転席の後部を車輌の前輪中心よりも前方に配置したことで、塵芥収容箱の前後長さを長く確保でき、これにより車輌の全高を低く維持した状態で、塵芥収容箱内への塵芥の収容量を大きく確保することができる。しかも、塵芥収容箱内に配置された排出板が塵芥収容箱の前部に配設された取付部材の上部と排出板の下部との間に連設された伸縮シリンダにより前後方向に摺動自在になされ、上記伸縮シリンダの取付部となる取付部材の上部を前方に位置するように屈折形成したことで、取付部材の取付部をエンジンの上方となる前方位置に極力配置でき、この分だけ伸縮シリンダを車輌の前方に配置することができるため、排出板も極力前方に配置でき、これに伴って、塵芥収容箱内への塵芥の収容量をさらに大きく確保できる。しかも、取付部材がエンジンに干渉することもなく、メンテナンス等の邪魔になることもない。
【００２２】
請求項２記載の塵芥収集車によれば、運転席と塵芥収容箱との間に搭載したエンジンの左右両側を側壁カバーによって被覆し、当該側壁カバーを塵芥収容箱の側壁の延長上に且つこの側壁前端に開閉自在に設けたことで、塵芥収集車全体の外観を損なうことなく、この側壁カバーを開放することでエンジン等のメンテナンスなども容易に行うことができる。
【００２３】
請求項３記載の塵芥収集車によれば、前記エンジンの上方にこのエンジンの上部を被覆するとともに、架装物が載置可能なエンジンカバーを着脱自在に配設したことで、エンジンカバー上に架装物を乗せることができ、エンジンの上部空間を有効に利用することができるとともに、エンジンカバーを取り外すことで、エンジンのメンテナンスなども容易に行うことができる。
【図面の簡単な説明】
【図１】本発明の塵芥収集車の全体構成を示す側面図である。
【図２】エンジンカバー及び取付部材、並びにその周辺の構成を示す拡大側面図である。
【符号の説明】
１  車体枠
１ａ  車輪
２  運転席
３  塵芥収容箱
３ａ  側壁
５  塵芥投入箱
６  エンジン
７  側壁カバー
８  エンジンカバー
１０  排出板
１１  伸縮シリンダ
１２  取付部材
１２ａ  取付部
【図１】
0004005251.tif 000002
【図２】
0004005251.tif 000003